(57)【要約】【課題】洗い場で一時的に多量の排水が発生した場合であっても、洗い場と段差のない脱衣室に排水が浸入することを防止し、通常の使用時にあっては、浴槽設置部に排水が浸入することを防止できる浴室排水構造を提供する。【解決手段】洗い場２０と浴槽設置部２１とを仕切る土手部２２の浴槽設置部２１側に排水溝２４を形成し、その直上に洗い場部２０と浴槽設置部２１とを連通する通水路１４と、該通水路１４を経由して洗い場部から浴槽設置部２１へと流入する水を一定量に至るまで保持するとともに、この一定量を超える水は前記排水溝へと放出する溜水手段（１３）とを備える一方、浴槽３の側方を覆うエプロン１０の下端と土手部２２の上端との間に挿入されこれらエプロン１０及び土手部２２により水密に挟持された水密材１１を備える。【選択図】  図９
2005060987.tif 000002
【特許請求の範囲】
【請求項１】
洗い場部と浴槽設置部とこれらを区画する土手部とを備えた防水床と、これら洗い場部と浴槽設置部とを連通する排水ピット部とを備えた浴室ユニットの排水構造において、前記土手部の浴槽設置部側に該土手部と並置され、該土手部との間に排水溝を形成する裏土手部を備えることを特徴とする浴室排水構造。
【請求項２】
前記排水溝は、流入した水を前記排水ピット部へと排水する排水孔を備えることを特徴とする請求項１記載の浴室排水構造。
【請求項３】
前記土手部の前記排水ピット部直上部分に、洗い場部と浴槽設置部とを連通する通水路と、該通水路を経由して洗い場部から浴槽設置部へと流入する水を一定量に至るまで保持するとともにこの一定量を超える水は前記排水溝へと放出する溜水手段とを備えることを特徴とする請求項１記載の浴室排水構造。
【請求項４】
前記溜水手段は、前記排水ピット部に面する一面に開口が形成された扁平な略ボックス状であることを特徴とする請求項１記載の浴室排水構造。
【請求項５】
洗い場部と浴槽設置部とこれらを区画する土手部とを備えた防水床と、これら洗い場部と浴槽設置部とを連通する排水ピット部とを備えた浴室ユニットの排水構造において、前記浴槽の側方を覆うエプロンの下端と前記土手部の上端との間に挿入されこれらエプロン及び土手部により水密に挟持された水密材を備えることを特徴とする浴室排水構造。
【発明の詳細な説明】
【技術分野】
【０００１】
本発明は、浴室ユニットの排水構造に係り、特に洗い場と脱衣室との段差を解消した浴室の排水構造に関する。
【背景技術】
【０００２】
近年の一般住宅の浴室においては、高齢者や身体障害者なども容易に入浴できるように、洗い場と脱衣室との段差を解消したバリアフリー対応の浴室の需要が高まっている。
【０００３】
しかし、出入口の段差を無くすと、浴室から脱衣室へ水が漏れないような工夫が必須となる。特に浴槽の溢れ水は、頻繁に起こるものではないが、万一発生した場合に、脱衣室を水浸しにしてしまう程の大量の水が洗い場に流れ出すので、その処理方法については特に工夫が必要である。
【０００４】
この問題に対処する方法として、ドアだけで完全に浴槽からの大量の溢れ水を止めてしまう方法も考えられる。しかし、ドアを完全密閉型にすることは、グレモン錠等が必要になるばかりでなく、重量物を支持するために壁構造そのものを堅牢にする必要も生じ、コストが大幅に上がる要因となる。のみならず、引戸の場合には、現状では技術的に非常に解決し難く、ドアだけで完全に止水しようとしても取り付けられるドアが限定されるなどの問題があった。何よりそのような厳ついものは一般住宅に馴染まない。
【０００５】
従来このような段差なしタイプの浴室では、ドア前又は洗い場の四周に側溝を設けその上に格子状のグレーチングを配置してこの問題に対応していた。しかしこの方法では、グレーチングが洗い場に占める面積比が大きくなってしまい、意匠性が低下する他、洗い場の面積を実際の面積よりも狭く感じさせてしまうという問題があった。また、グレーチングが強度的に弱いという印象や、排水により非衛生的であるとの印象も与える。さらに、グレーチングは格子状であるため汚れが付着し易く、排水の流れが悪くなる原因ともなるので、洗い場の周囲にわたるグレーチングを定期的に掃除しなければならず、手間がかかるという問題点を有していた。
【０００６】
そこで、ドアまで届いた洗い場からの排水を、ドアの下枠に排水管や樋を設け、これにより排水を回収し脱衣室への水漏れを防ぐ方法が提案されている（例えば、特許文献１参照。）。しかしながらこの方法は、接続箇所が多い上、防水性能に関わる部分であるため慎重に施工する必要があり組立に時間がかかってしまうことや、排水管や樋が詰らないよう定期的に掃除する必要があるなどの問題がある。
【０００７】
また、浴槽のエプロン下端の水返し堤防部に、洗い場部と浴槽設置部とを連通する狭い開口を形成し、洗い場に溢れた水を、ここを経由させて浴槽設置部へと排出させる方法も提案されている（例えば、特許文献２，３参照。）。この方法では、その開口が洗い場側に露出して意匠上好ましくない他、普段洗い場で使用している場合においても、開口からシャワー水等が直接浴槽設置部へ浸入するという問題がある。すなわち、洗い場でなされる洗体・洗髪時の石鹸混じりの雑排水が、浴槽設置部に流れ込んで水垢などが堆積し、異臭やカビの原因となるという問題である。これでは、通常の使用では殆ど起こらない浴槽の溢れ水対策に目を奪われて、普段の使用で発生する問題を軽視することになる。そのため最近では、浴槽側の防水パンを汚さないことが望まれている。
【特許文献１】特開平１１−２５６９４９号公報
【特許文献２】特開２０００−５４４５１号公報（段落［００１５］、図４）
【特許文献３】特開２０００−２９１０９４号公報（図１）
【特許文献４】特開平２００１−２４１０７７号公報（段落［００２５］）
【発明の開示】
【発明が解決しようとする課題】
【０００８】
本発明は、上述した事情を考慮してなされたもので、洗い場で一時的に多量の排水が発生した場合であっても、洗い場と段差のない脱衣室に排水が浸入することを防止することのできる浴室排水構造を提供することを目的とするものである。
【０００９】
本発明の他の目的は、通常の使用時にあっては、浴槽設置部に排水が浸入することを防止することのできる浴室排水構造を提供することにある。
【課題を解決するための手段】
【００１０】
本発明に係る浴室排水構造は、上述した課題を解決するために、請求項１に記載したように、洗い場部と浴槽設置部とこれらを区画する土手部とを備えた防水床と、これら洗い場部と浴槽設置部とを連通する排水ピット部とを備えた浴室ユニットの排水構造において、前記土手部の浴槽設置部側に該土手部と並置され、該土手部との間に排水溝を形成する裏土手部を備えるものである。
【００１１】
次に、上述した課題を解決するために、請求項２に係る排水溝は、流入した水を前記排水ピット部へと排水する排水孔を備えるものである。
【００１２】
そして、上述した課題を解決するために、請求項３に係る浴室排水構造は、前記土手部の前記排水ピット部直上部分に、洗い場部と浴槽設置部とを連通する通水路と、該通水路を経由して洗い場部から浴槽設置部へと流入する水を一定量に至るまで保持するとともにこの一定量を超える水は前記排水溝へと放出する溜水手段とを備えるものである。
【００１３】
また、上述した課題を解決するために、請求項４に係る溜水手段は、前記排水ピット部に面する一面に開口が形成された扁平な略ボックス状であるものである。
【００１４】
さらに、上述した課題を解決するために、請求項５に係る浴室排水構造は、洗い場部と浴槽設置部とこれらを区画する土手部とを備えた防水床と、これら洗い場部と浴槽設置部とを連通する排水ピット部とを備えた浴室ユニットの排水構造において、前記浴槽の側方を覆うエプロンの下端と前記土手部の上端との間に挿入されこれらエプロン及び土手部により水密に挟持された水密材を備えるものである。
【発明の効果】
【００１５】
本発明に係る浴室排水構造によれば、洗い場で一時的に多量の排水が発生した場合であっても、洗い場と段差のない脱衣室に排水が浸入することを防止することができる。
【００１６】
本発明は、通常の使用時にあっては、浴槽設置部に排水が浸入することを防止することができる効果が得られる。
【発明を実施するための最良の形態】
【００１７】
本発明に係る浴室排水構造の実施の形態について、図を参照して説明する。図１は、本発明に係る浴室排水構造を備える浴室ユニットの全体概要を示すものである。
【００１８】
浴室ユニット１は、図１に示すように、脱衣室Ｄに隣接して設置されて浴室を形成するものであり、防水パン２と、浴槽３と、壁パネル４と、ドア５と、排水ピット部６とから構成されている。また、壁パネル４上には図示しない天井パネルが取り付けられる。
【００１９】
ドア５は、浴室の出入口部を形成するものであり、防水パン２の脱衣室Ｄに面する側に設置される。このドア５は、壁パネル４に開口を形成する２本の縦枠５０，５０及び図示しない上枠と、脱衣室Ｄの床と防水パン２とを接続する下枠５１と、浴室ユニット側に開閉できる片開き式のドア本体５２とから構成される。
【００２０】
図２に示すように、ドア本体５２の足元の浴室ユニット１側及び脱衣室Ｄ側のそれぞれには、ゴムや軟性の合成樹脂でできたヒレ５３ａ，５３ｂが取り付けられる。このヒレ５３ａ，５３ｂは、ドア本体５２からその直下の下枠５１までの距離ｈ１，ｈ２よりもそれぞれ長く形成され、その結果ドア本体５２が閉じられると下枠５１と密着し、シャワー水等がドア本体５２足元の隙間から脱衣室Ｄへ漏れることを防ぐ役目を果たしている。
【００２１】
下枠５１の防水パン２上に設置される部分５１ａの上面には勾配が設けられている。他方、防水パン２のドア５と接続する部分の手前部分２ａには、下枠５１の勾配部分５１ａに設けられた勾配よりは小さいけれども、防水パン２の通常部分の水勾配よりも大きい勾配が設けられている。すなわち、ドア５前の床部分は２回に亘って勾配が変化するようになっている。これにより、例えば、図２において破線で示したような一直線の勾配のみの場合に比較して、防水パン２の排水保有能力が格段に向上し、且つ、入浴者が躓くことがないように、防水パン２上面と下枠５１上面との間の段差を最低限に抑えられる。
【００２２】
なお、防水パン２上面と下枠５１下面との間にはパッキン５４が挟み込まれ、下枠５１の端部と防水パン２の端部とが当接する部分には、このパッキン５４部分に排水が廻り込まないようにシリコン等のシール材５５が注入される。これにより、下枠５１の高さの微調整が可能となるので、下枠５１と防水パン２との取り合い部分に段差が生じることもなく、滑らかに勾配を変化させることができる。
【００２３】
図３は、ドア５の変形例を示すものである。この変形例に係るドア５Ａでは、下枠５１の勾配部分５１ａがドア本体５２の脱衣室Ｄ側まで延長され、長くなっているので、防水パン２に勾配の大きい部分２ａを設けなくても、言い換えれば、勾配を２度に亘って変化させなくても、防水パン２の排水保有能力を向上させることができる。また、本変形例では、下枠５１の断面形状が単純化されており、これにより、下枠５１の凹凸が少なくなり、清掃が容易になるという効果も得られる。
【００２４】
防水パン２は、樹脂材によって一体的に形成されており、図１に示すように、ドア５側に人が体を洗える洗い場部２０が形成され、他方側に浴槽３が設置される浴槽設置部２１が形成されていて、これらが上方への立ち上がりである土手部２２により仕切られている。
【００２５】
洗い場部２０は、外周上縁が同一高さに形成され、排水の流れる床面が、浴槽３の長手方向中間部に設けられた排水ピット部６に向かって、すり鉢状に下るように傾斜された流水面Ｓ１となっている。
【００２６】
浴槽設置部２１は、洗い場部２０より一段低く形成され、排水の流れる床面が、排水ピット部６に向かってすり鉢状に下るように傾斜された流水面Ｓ２となっている。
【００２７】
そして、土手部２２の浴槽設置部２１側には、図４に示すように、本発明の一つの特徴を成す裏土手部２３が土手部２２に平行して立設され、土手部２２と裏土手部２３との間に、洗い場部２０から水が溢れ出てきたときにこれを集めて排水する排水溝２４を形成している。
【００２８】
浴槽３の長手方向中間部には、図５に示すように、土手部２２を跨ぐように排水ピット部６が設けられる。そして、満杯の浴槽の水が溢れる等の緊急時に浴室ユニット１外へ漏水するのを防ぐため、高い位置にある洗い場部２０側の排水を低い位置にある浴槽設置部２１側へと排水すべく、排水ピット部６上の土手部２２は切除され、切欠部２２ａが形成されている。
【００２９】
一方、裏土手部２３は、排水ピット部６を構成する排水エルボ４０のフランジ面４０ａ上の突出部４０ｄと一体となって防水パン２の一端から他端まで連続し、土手部２２側に排水溝２４を形成して、洗い場部２０からの溢れ出た水が少量のときは、浴槽設置部２１全体に排水が廻らないようになっている。
【００３０】
浴槽３は、図６に示すように、下部側の脚（図示せず）を介して、防水パン２の浴槽設置部２１上に設置される。この浴槽３は、図９に示すように、凹状の浴槽本体３０と、この浴槽本体３０の排水孔３０ａに取り付けられる排水金具３１と、排水金具３１を塞ぐ栓（図示せず）と、浴槽３の側方を覆うエプロン１０とから構成されている。排水孔３０ａは、浴槽本体３０の長手方向中間部の、洗い場部２０寄りの低部、すなわち排水ピット部６近傍に形成されている。なお、浴槽３や洗い場部２０には、図示しない給水・給湯設備等も取り付けられる。
【００３１】
浴槽３の洗い場部２０側には、防水パン２の土手部２２上方に、浴槽３の側方を覆うエプロン１０が取り付けられている。エプロン１０の上端は、浴槽本体３０の上端のリム面下に取り外し可能に固定され、下端はそこから土手部２２へと垂下する。このエプロン１０の下端面には、図７に示すように、凸部１０ａと凹部１０ｂとが、その長手方向に沿って、全長に亘り形成されている。
【００３２】
一方、土手部２２の上端面にも、図７に示すように、その長手方向に沿って、凸部２２ｂと凹部２２ｃとが形成されている。土手部２２の上には、土手部２２の全長に亘って、本発明の特徴の一つを成す水密材１１が載置されている。この水密材１１は、ゴム又は軟質の合成樹脂製の板状のガスケットであり、その上面及び下面には、その長手方向に沿って、凸部１１ａと凹部１１ｂとが形成されている。下面に形成された凸部１１ａと凹部１１ｂとは、土手部２２のそれぞれ凹部２２ｃと凸部２２ｂとに咬合するように成形され、上面に形成された凸部１１ａと凹部１１ｂとは、それぞれエプロン１０の凹部１０ｂと凸部１０ａとに咬合するように成形されている。
【００３３】
このように、水密材１１が、エプロン１０と土手部２２との間で押圧され挟持されるので、例えば浴槽水が溢れても、エプロン１０と土手部２２との間から、浴槽設置部２１へと流入することはない。また、シャワーから吐出された水や、シャワーから吐出され洗い場２０の床で跳ね返った水がエプロン１０と土手部２２との間から浴槽設置部２１へと流入することもない。
【００３４】
ここで、排水ピット部６の直上は、図５に示したように、土手部２２の切欠部２２ａとなっており、土手部２２に代えて、第１仕切り材１２が取り付けられる。第１仕切り材１２は、図８に示すように、その正面が略Ｔ字型をした板状の部材であり、本体上部１２aから、短い腕様の部分１２ｂ，１２ｂが左右に突き出している。また、第１仕切り材１２の上面には、土手部２２上面に設けられているのと同様の凸部１２ｃ、凹部１２ｄが形成され、腕部１２ｂの下面にも凸部１２ｃ、凹部１２ｄが形成されている。
【００３５】
一方、土手部２２の切欠部２２ａに面する両側の端部の洗い場２０側には、掛止部２２ｂが第１仕切り材１２の腕部１２ｂ，１２ｂの下面の凹凸と咬合する形状に形成されている。この掛止部２２ｂの上に第１仕切り材１２の腕部１２ｂが載置され、その上に、水密材１１が敷設された後にエプロン１０が取り付けられると、土手部２２におけると同様に、エプロン１０と第１仕切り材１２との間から、洗い場部２０の排水が浴槽設置部２１へと流出することを防止できる。ただし、第１仕切り材１２の下端は、図９に示すように、排水ピット部６まで届かず、１０ｍｍ程度の間隙が設けられ、通水路１４を形成する。
【００３６】
排水ピット部６は、防水パン２上の排水と浴槽３中の排水とを、臭気の逆流を防止した状態で、浴室外に排出するものであり、防水パン２の下面側に、この防水パン２から下方に突出するように取り付けられている。この排水ピット部６は、大別して、浴槽設置部２１の排水を担当する排水エルボ４０と、洗い場部２０の排水を受け持つ排水トラップ６０とから構成される。
【００３７】
排水エルボ４０のフランジ面４０ａは、図９に示すように、防水パン２に形成された排水エルボ取付用開口２５中に、防水パン２の上面と略面一となるように嵌め込まれ、その上面が防水パン２の上面とともに、裏土手部２３の中央部、すなわち、土手部２２の切欠部２２ａの裏側に位置する部分に向かって下り勾配で傾斜する流水面Ｓ２を形成している。この場合、排水エルボ４０のフランジ面４０ａの浴槽排水孔４０ｂは、浴槽３の排水孔３０ａと対向する位置に位置決めされる。一方、排水エルボ４０のフランジ面４０ａと反対側の端部は、排水トラップ６０本体の側面の封水溜入口部６２ｂに接続されている。
【００３８】
このフランジ面４０ａには、浴槽３の排水金具３１を挿入するための浴槽排水孔４０ｂと、浴槽設置部２１に溜まった水を排水するための床排水孔４０ｃと、上方への立ち上がりを形成する突出部４０ｄと、排水溝２４に溜まった水を排水する排水溝排水孔４０ｅとが設けられている。
【００３９】
浴槽排水孔４０ｂには、浴槽３の排水金具３１が差し込まれているので、浴槽排水は排水エルボ４０を経由し、排水トラップ６０本体に導かれ排水される。また、浴槽設置部２１に流れ込んだ浴槽３の溢れ水などは、排水エルボ４０の床排水孔４０ｃから浴槽排水同様に排水トラップ６０本体に導かれて排水される。この床排水孔４０ｃには浴槽排水時の水圧により浴槽内の水が浴槽設置部２１に溢れ出してくるのを防止するために逆止弁４０ｆが装備されている。
【００４０】
突出部４０ｄは、浴槽設置部２１に設けられた裏土手部２３と同一形状に成形され、裏土手部２３と一直線上に来る位置に配置されて、裏土手部２３の一部を構成する。裏土手部２３との接続部はパッキン等により水密に接続されるので、裏土手部２３に溜まった水がこの接続部から浴槽設置部２１へと漏れることはない。土手部２２と裏土手部２３との間に形成された排水溝２４に溜まった水は、排水溝排水孔４０ｅから、排水エルボ４０を経由し、排水トラップ６０本体に導かれ排水される。この排水溝排水孔４０ｅにも、浴槽排水時の水圧により浴槽内の水が排水溝２４に溢れ出してくるのを防止するために逆止弁４０ｇが装備されている。
【００４１】
このように、浴槽設置部２１の排水は、浴槽３、浴槽設置部２１の床面、及び排水溝２４のいずれからであっても、全て一旦排水エルボ４０を経由して、洗い場部２０の排水トラップ６０へと排出される。
【００４２】
排水トラップ６０は、図９に示すように、洗い場部２０の最も低い位置に設けられた排水凹部２６の底面に取り付けられており、トラップ本体６２と、封水管６３と、目皿６４とから構成されている。
【００４３】
トラップ本体６２には、下部側中央に所定高さの封水溜６２ａが形成されるとともに、この封水溜６２ａの下部に連通するように、浴槽設置部２１からの排水を集める排水エルボ４０が接続される封水溜入口部６２ｂが形成されている。また、トラップ本体６２には、封水溜６２ａの上方側と連通するように、排水流出部６２ｃが形成され、排水管６５が接続されている。
【００４４】
ここで、排水トラップ６０は、封水溜６２ａ上端Ｅに位置する封水面Ｍが排水エルボ４０のフランジ４０ａの下面よりも低い位置に配置されるように、位置決めされている。
【００４５】
排水ピット部６の上部、第１仕切り材１２の下には、図８及び図９に示すように、通水路１４の下面を構成する第２仕切り材１３が設置される。第２仕切り材１３は、第１仕切り材１２に対向する側の面に開口が設けられた略ボックス状に形成される。
【００４６】
その縦断面は、下板１３ａが上板１３ｂより長い略コ字状となっている。その下板１３ａの一端は、排水ピット部６の上面と同レベルになるように、切欠部封止材２８上部の水平面上に載置され、他端は、排水溝２４側へと突出する。この下板１３ａが切欠部封止材２８に接触する部分には、ゴムや軟質の合成樹脂等のパッキンが接着され、この間から水が直接排水溝２４へと漏れることを防止している。
【００４７】
第２仕切り材１３の上板１３ｂは、図９に示すように、下板１３ａから立設された背板１３ｃから第１仕切り材１２の裏面側に伸びていく形状であるが、第１仕切り材１２に届くことはなく、第１仕切り材１２の裏面との間に一定の距離が保たれる。これにより、洗い場部２０からの排水は、この間隙を経由して排水溝２４へと排出される。第２仕切り材１３の側板１３ｄは、略台形の形状に形成されて下板１３ａと上板１３ｂとを接続し、図１０に示すように、通水路１４を流れる排水が第２仕切り材１３の側面から直接排水溝２４へと漏れ出ることを防止する。なお、本実施形態におけるこれら第１仕切り材１２及び第２仕切り材１３も本発明の特徴を成すものであり、第２仕上げ材１３は、本発明の「溜水手段」を構成する。
【００４８】
排水凹部２６の上部には、それを覆い隠すようにトラップカバー２７が設置される。トラップカバー２７は、平らな四角形の上面２７ａと、それを排水ピット部６上に支える四方に設けられた脚部２７ｂとから構成される。トラップカバー２７ａの縦横の大きさは排水凹部２６の縦横の大きさよりも小さく形成されているので、図９に示すように、トラップカバー２７の四周と排水凹部２６との間には隙間が設けられ、洗い場からの排水はこの隙間から排水ピット部６へと流れ落ちていく。また、トラップカバー２７の上面は近傍の床レベルと同じ高さとなって、人が足を引っ掛けたり、目皿に溜まったゴミが見えたりするのを防止する。
【００４９】
次に、この浴室ユニット１における排水の流れについて図を参照して説明する。浴槽本体３０中に溜められた水の排水は、排水金具３１から栓を抜くことにより、排水金具３１から排水エルボ４０を通って、排水トラップ６０の封水溜６２ａに流し込まれる。この場合、排水エルボ４０中は排水で一杯になるが、逆止弁４０ｆや逆止弁４０ｇがそれぞれ床排水孔４０ｃや排水溝排水孔４０ｅを塞ぐため、この排水が浴槽設置部２１の床面に流出することはない。
【００５０】
図１０は、通常の使用時、すなわち、シャワーを浴びたり、髪や体を洗ったりするときに洗い場部２０で生じる排水の流れを示すものである。洗い場部２０で生じた排水は、防水パン２の流水面Ｓ１を通って、或いは、エプロン１０等を伝って、洗い場部２０で最もレベルが低い排水凹部２６に集められる。このとき、エプロン１０の下部と土手部２２又は第１仕切り材１２との間には、水密材１１が挿入されているので、排水が排水凹部２６より高いところから浴槽設置部２１へと漏れ出ることはない。
【００５１】
そして、排水凹部２６を通った排水は、排水トラップ６０の目皿６４と封水管６３とを通って、トラップ本体６２の封水溜６２ａに溜められた後、この封水溜６２ａの上端Ｅ側からオーバーフローすることにより、封水溜出口部６２ｃから排水管６５によって浴室外に排出される。この場合、オーバーフローによって排水トラップ６０の封水面Ｍの位置が上がるが、浴槽設置部２１の床排水孔４０ｃや排水溝排水孔４０ｅを逆止弁４０ｆ，４０ｇが塞ぐため、封水溜６２ａ中の排水が防水パン２の浴槽設置部２１側に流出してしまうことはない。
【００５２】
また、第１仕切り材１２とトラップカバー２７との間から流れ落ちた水の一部は、第２仕切り材１３の方へ流れることがある。しかし、第２仕切り材１３は左右両側板１３ｄ，１３ｄ、背板１３ｃ及び上板１３ｂでボックス状に囲われているので、水返しの役割を果たし、例えば図１０の水位Ｆで示すように、通常の水流・水量では浴槽設置部２１へと漏れ出ることはない。
【００５３】
このように、通常の使用時においては、排水が浴槽設置部２１へと溢れ出ることはないので、水垢などが堆積し、異臭やカビの原因となるという問題は生じない。
【００５４】
ただし、例えば、目皿６４上に頭髪等が積もって排水トラップ１０の流れが悪くなっているようなときは、排水は第２仕切り材１３側へと流れ、第２仕切り材１３内の水位が徐々に上がっていき、上板１３ｂに到達することもあり得る。この場合、第２仕切り材１３から溢れ出た水は、その下の排水溝２４へと流れ出し、例えば図１０の水位Ｇで示すように、ここに暫し溜められる。そして、排水溝排水孔４０ｅを経由して排水エルボ４０へと排出される。
【００５５】
したがって、通常のシャワー使用時等における単位時間当たりの排水量程度では、たとえ、目皿６４が詰まっていても、この排水溝２４に溢れ出た排水が更に浴槽設置部２１へと溢れ出ることはない。また、本実施形態では、エプロン１０内部を覗けるように、第１仕切り材１２や第２仕切り材１３を取り外し可能に形成していることも相俟って、このように排水溝に水が溢れ出てしまった場合でも、浴槽設置部２１の土手部２２近傍を見るだけでよく、これらを取り外すだけで容易に点検・清掃が可能となる。
【００５６】
特に、排水が、浴槽設置部２１の土手部２２とは反対側の壁パネル４に届くほど溢れ出てしまうと、点検・清掃のためには、エプロン１０を取り外し、浴槽本体３０を移動させる、或いは持ち上げる等の作業が必要となるが、本実施形態に係る浴室排水構造によれば、浴槽の溢れ水等非常事態が発生しない限りこのような作業が必要になることはない。
【００５７】
一方、略満杯に満たされた浴槽本体３０中に入浴した場合のように、浴槽本体３０側から急激に多量の排水が防水パン２の洗い場部２０側に生じた場合の排水の流れについて、図１１を参照して説明する。
【００５８】
この場合、排水は、洗い場部２０の排水凹部２６へと、排水トラップ６０の排水能力を超えて集中するので、第２仕切り材１３の方へも流れ出し、その上板１３ｂを越えて（水位Ｈ）排水溝２４へと流れ落ちる。ところが、排水トラップ６０がその処理能力を超えていることから、排水エルボ４０内も満水状態となっており、そのため逆止弁４０ｇが塞がれ、排水溝２４内の水位はどんどん上がり、遂には裏土手部２３の上端を越えて（水位Ｊ）浴槽設置部２１へと溢れ出す（水位Ｋ）。
【００５９】
浴槽３からの溢れ水が多いときは、水位は更に上昇し、洗い場部２０の最低レベルＬ１よりも高くなり、洗い場部２０にも水が溢れ出すこともあり得る（水位Ｎ）。この水位が洗い場部２０の最高レベルＬ４よりも高くなると、脱衣室Ｄへと水が溢れ出すことになる。
【００６０】
これを防止するには、浴槽設置部２１の排水保有能力と洗い場部２０の排水保有能力との合計が、想定した溢れ水量よりも大きくなるようにする必要がある。本実施形態によれば、ドア５の足元で勾配を２度に亘って変えることにより洗い場部２０の排水保有能力を高めるとともに、通常時には水が廻らない浴室設置部２１にも緊急時には排水を保持できるように構成されているので、十分な排水保有能力を確保することができ、出入り口足元に立ち上がりを設けることなく浴槽溢れ水が外部へ流出することを防止できる。
【００６１】
排水トラップ６０に滞留した排水も最終的には配水管６５から排出されて、排水トラップ６０中の封水溜６２ａ側の水位が、浴槽設置部２１の水位より下がった状態となり、その時点で、床排水孔４０ｃ及び排水溝排水孔４０ｅの逆止弁４０ｆ，４０ｇが開き、防水パン２の浴槽設置部２１側に流れ込んだ排水は、排水トラップ６０側に排出される。
【００６２】
なお、本実形態では、第１仕切り材１２が取り外し可能に形成された場合について説明したが、これはエプロン１０と一体に成形されたものであってもよい。この場合でも、エプロン１０を取り外せば、土手部２２の切欠部２２ａから浴槽設置部２１内を点検することは可能である。
【００６３】
また、本実施形態では、第２仕切り材１３が取り外し可能に形成された場合について説明したが、これは防水パン２と一体に成形されたものであってもよい。或いは、第１仕切り材１２と第２仕切り材１３とを一体に成形することも可能である。
【００６４】
以上のように、この浴室ユニット１の排水構造では、水密材１１をエプロン１０と土手部２２との間に設けたので、例えば浴槽水が溢れたり、シャワーからの水が直接エプロンに当たったりしても、床レベルより上部から浴槽設置部２１へと流入することはない。
【００６５】
そして、第１仕切り材１２により通水路を形成し、この通水路から洗い場２０で発生した排水を浴槽設置部２１へ導く一方、第２仕切り材１３により導水された水を保持するようにしたので、例えば目皿６４が詰まっても、通常は排水が洗い場２０の床面に溢れ出すことはなく、清潔感を保つことができるとともに、浴槽設置部２１に排水が流出しないので、異臭やカビの発生を抑えることができる。
【００６６】
また、土手部２２裏の浴槽設置部２１側に排水溝２４を設けたので、たとえ第２仕切り材１３から水が溢れても、それが大量でない限り排水溝２４内で処理することができるので、浴槽設置部２１の点検・清掃が容易となる。
【００６７】
さらに、第１仕切り材１２及び第２仕切り材１３により、浴槽溢れ水など非常事態が発生した場合には、溢れ水を浴槽設置部２１側に排水することができるので、排水が浴室ユニット１の外部へ流出することを防ぐことができる。
【００６８】
加えて、ドア５の足元の勾配を２段階に変えたので、洗い場部２０の排水保有能力が上がり、浴槽溢れ水が外部へ流出することを更に確実に防止することができる。
【００６９】
すなわち、本実施形態に係る浴室排水構造によれば、浴槽出入り口に立ち上がりを設けないバリアフリー型の浴室ユニットにおいても、通常の使用時にあっては、浴槽設置部に排水が浸入しないので、清潔・衛生的に浴室を使用でき、また、エプロン１０裏の点検・清掃も容易である一方、現実に発生する可能性が低い浴槽溢れ水に対しても、大きなコストをかけることなく脱衣室Ｄ側へと流出することを防止することが可能となる。
【００７０】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００７１】
【図１】本発明に係る浴室排水構造を備えるユニットバスの全体概要を示す斜視図。
【図２】図１に示すドアの足元廻り断面図。
【図３】図１に示すドアの足元廻りの変形例を示す断面図。
【図４】図１のＡ−Ａ矢視図であって、土手部の縦断面図。
【図５】土手部の切欠部を浴槽側上方から見た斜視図。
【図６】浴槽廻り分解図。
【図７】水密材の取り合い関係を示す図であって、（ａ）は土手部上、（ｂ）は第１仕切り材上における縦断面図。
【図８】水返し材１の取付詳細を示す斜視図。
【図９】図１のＢ−Ｂ矢視図であって、排水ピット部廻り縦断面図。
【図１０】シャワー散水時における排水の流れを説明する図。
【図１１】浴槽溢れ時における排水の流れを説明する図。
【符号の説明】
【００７２】
１  浴室ユニット
２  防水パン
３  浴槽
４  壁パネル
５，５Ａ  ドア
６  排水ピット部
１０  エプロン，１０ａ  凸部，１０ｂ  凹部
１１  水密材，１１ａ  凸部，１１ｂ  凹部
１２  第１仕切り材，１２ａ  本体，１２ｂ  腕部
１３  第２仕切り材，１３ａ  下板，１３ｂ  上板，１３ｃ  背板，１３ｄ  側板
１４  通水路
２０  洗い場部
２１  浴槽設置部
２２  土手部，２２ａ  切欠部，２２ｂ  掛止部，２２ｃ  凸部，２２ｄ  凹部
２３  裏土手部
２４  排水溝
２５  排水エルボ取付用開口
２６  排水凹部
２７  トラップカバー，２７ａ  上面，２７ｂ  脚部
２８  切欠部封止材
３０  浴槽本体，３０ａ  排水孔
３１  排水金具
４０  排水エルボ，４０ａ  フランジ，４０ｂ  浴槽排水孔，４０ｃ  床排水孔，４０ｄ  突出部，４０ｅ  排水溝排水孔，４０ｆ，４０ｇ  逆止弁
５０  縦枠
５１  下枠
５２  ドア本体
５３  ヒレ
５４  パッキン
５５  シール材
６０  排水トラップ
６２  トラップ本体，６２ａ  封水溜，６２ｂ  封水溜入口部，６２ｃ  封水溜出口部
６３  封水管
６４  目皿
６５  排水管
Ｄ  脱衣室
【図１】
2005060987.tif 000003
【図２】
2005060987.tif 000004
【図３】
2005060987.tif 000005
【図４】
2005060987.tif 000006
【図５】
2005060987.tif 000007
【図６】
2005060987.tif 000008
【図７】
2005060987.tif 000009
【図８】
2005060987.tif 000010
【図９】
2005060987.tif 000011
【図１０】
2005060987.tif 000012
【図１１】
2005060987.tif 000013